(57)【要約】【課題】スリット装置においてスリット不良が発生したときの、スリット刃の破損およびそれに伴う装置の破損を回避し、スリットする材料のロスも低減することのできるスリット刃保護機構、および該スリット刃保護機構を備えたスリット装置を提供することを課題とする。【解決手段】上刃と下刃とを備えたスリット装置のスリット刃保護機構であって、検出装置と離間機構とを備えて成り、該検出装置がスリット加工の異常を検知して異常信号を発するものであり、離間機構が該異常信号によって上刃を下刃から離間するものであることを特徴とするスリット刃保護機構、および該スリット刃保護機構を備えたスリット装置である。【選択図】図１
2017077616.tif 000002
【特許請求の範囲】
【請求項１】
上刃と下刃とを備えたスリット装置のスリット刃保護機構であって、
検出装置と離間機構とを備えて成り、
該検出装置がスリット加工の異常を検知して異常信号を発するものであり、
離間機構が該異常信号によって上刃を下刃から離間するものであることを特徴とする
スリット刃保護機構。
【請求項２】
前記検出装置は、モーター負荷検出装置、または張力検出装置、またはダンサーロール位置検出装置のうちの１以上の検出装置であることを特徴とする請求項１に記載のスリット刃保護機構。
【請求項３】
前記離間機構が、エアシリンダーを用いたものであることを特徴とする請求項１または請求項２に記載のスリット刃保護機構。
【請求項４】
前記離間機構が、複数のエアシリンダーからなり、異常を検出した部分の上刃のみを離間させるものであることを特徴とする請求項１〜請求項３に記載のスリット刃保護機構。
【請求項５】
請求項１〜請求項４のいずれかに記載のスリット刃保護機構を備えたことを特徴とするスリット装置。
【発明の詳細な説明】
【技術分野】
【０００１】
本発明はスリット刃を保護する機構に関するものである。とくにスリット加工に異常が発生したときに、スリット刃を離間させて、上刃、下刃およびスリット刃周辺の破損を防止することのできるスリット刃保護機構に関するものである。
【背景技術】
【０００２】
従来から、フィルムや紙などを決められた幅にそろえて裁断し、多くの場合は巻取りとして製品あるいは半製品とするスリット加工が行なわれている。幅広の原紙あるいはフィルムなどの原反を一方に取り付けてまき出し、レザー刃や回転刃のスリットユニットを通過させて裁断し、個々に巻き取る方式のものが一般的である。
【０００３】
近年では、スリット加工機も高速化してきており、６００ｍ／分〜８００ｍ／分で加工することのできる装置も珍しくはなくなっている。しかしその一方で高速化した装置の場合においては、一旦スリット不良が生じた際には、フィルムや紙がスリット刃などに巻き付くなどしてスリット刃が破損したり、装置の他の部分を傷つけたりする恐れがあった。
【０００４】
たとえば特許文献１には、スリット装置の精度や段取りについての改善提案がなされているが、一旦不具合がおきたときのスリット刃の損傷やロスについて対策したものではなく、スリットの不具合がおきたときの機械の損失や、材料のロスを最小限に食い止めることのできる工夫は、充分といえる状況ではないのが現状である。
【先行技術文献】
【特許文献】
【０００５】
【特許文献１】特開平３−１０７９２号公報
【発明の概要】
【発明が解決しようとする課題】
【０００６】
本発明はかかる状況に鑑みてなされたものであり、スリット装置においてスリット不良が発生したときの、スリット刃の破損およびそれに伴う装置の破損を回避し、スリットする材料のロスも低減することのできるスリット刃保護機構を提供することを課題とする。
【課題を解決するための手段】
【０００７】
上記の課題を解決するための手段として、請求項１に記載の発明は、上刃と下刃とを備えたスリット装置のスリット刃保護機構であって、検出装置と離間機構とを備えて成り、該検出装置がスリット加工の異常を検知して異常信号を発するものであり、離間機構が該異常信号によって、上刃を下刃から離間するものであることを特徴とするスリット刃保護機構である。
【０００８】
また、請求項２に記載の発明は、前記検出装置は、モーター負荷検出装置、または張力検出装置、またはダンサーロール位置検出装置のうちの１以上の検出装置であることを特徴とする請求項１に記載のスリット刃保護機構である。
【０００９】
また、請求項３に記載の発明は、前記離間機構が、エアシリンダーを用いたものであることを特徴とする請求項１または請求項２に記載のスリット刃保護機構である。
【００１０】
また請求項４に記載の発明は、前記離間機構が、複数のエアシリンダーからなり、異常を検出した部分の上刃のみを離間させるものであることを特徴とする請求項１〜請求項３
に記載のスリット刃保護機構である。
【００１１】
また請求項５に記載の発明は、請求項１〜請求項４のいずれかに記載のスリット刃保護機構を備えたことを特徴とするスリット装置である。
【発明の効果】
【００１２】
本発明によれば、スリット装置においてスリット不良が発生したときの、スリット刃の破損およびそれに伴う装置の破損を回避し、スリットする材料のロスも低減することのできるスリット刃保護機構、および該スリット刃保護機構を備えたスリット装置を提供することが可能である。
【００１３】
とくに請求項２に記載の発明によれば、スリット機において、各検出装置によってより確実にスリット不良の発生を検知して、スリット刃の破損およびそれに伴う装置の破損を回避し、スリットする材料のロスも低減することのできるスリット刃保護機構を提供することが可能である。
【００１４】
特に請求項３に記載の発明によれば、スリット装置においてスリット不良が発生したときの、スリット刃の破損およびそれに伴う装置の破損を、エアシリンダーの動作によってより機敏に回避し、スリットする材料のロスも低減することのできるスリット刃保護機構を提供することが可能である。
【００１５】
特に請求項４に記載の発明によれば、スリット装置においてスリット不良が発生したときの、スリット刃の破損およびそれに伴う装置の破損を回避し、個別のスリット刃の離間によって、スリット加工における材料のロスもより低減することのできるスリット刃保護機構を提供することが可能である。
【００１６】
特に請求項５に記載の発明によれば、スリット装置においてスリット不良が発生したときの、スリット刃の破損およびそれに伴う装置の破損を回避し、スリットする材料のロスも低減することのできるスリット刃保護機構を備えたスリット装置を提供することが可能である。
【図面の簡単な説明】
【００１７】
【図１】図１は本発明に係るスリット装置と、そのスリット刃保護機構を説明するための模式図である。
【発明を実施するための形態】
【００１８】
以下、本発明を実施するための形態について、図を参照しながら詳細な説明を加える。但し本発明は、ここに示す例にのみ限定されるものではない。
【００１９】
図１は本発明に係るスリット装置と、そのスリット刃保護機構を説明するための模式図である。スリット装置（１００）は原反（１）の供給部分、ガイドロール（６）による搬送部分、上刃（２）および下刃（３）によるスリット部分、ガイドロール（７）による搬送部分、製品（４）の巻き取り部分から構成される。
【００２０】
本発明によるスリット刃保護機構は、スリット加工の異常時にスリット装置の上刃（２）が下刃（３）から離間する離間機構であって、上刃（２）に連続するエアシリンダー（５）、エアシリンダー（５）を駆動する電磁弁（１５）、電磁弁（１５）を制御する制御装置（１４）であり、制御装置（１４）にスリット加工の異常を伝える検出装置は、モーター負荷検出装置（１３）、または張力検出装置（１２）、またはダンサーロール位置検出装置（１１）であって、これらのうち１以上の検出装置を備える。
【００２１】
スリット加工とは、紙やフィルムなどのシート状の原反を巻き戻しながら、決められた縦方向幅に連続して切断して、巻き取る工程である。このスリット加工において発生しうる異常内容としては、原反にまつわる異常に他ならない。たとえば、切断の幅に関する異常であったり、両端の耳と呼ばれる余白部分の切断であったり、巻取りの硬さや巻き姿の異常であったりする。
【００２２】
原反が巻き戻されてから、ガイドロールを経由して搬送され、スリットされ、再び搬送されてのち、製品として巻き取られる間には、原反に対する張力が加わっており、張力はモーターの回転等によって発生する。また張力のコントロールは、モーターのほか、ダンサーロールによっても行なわれる。
【００２３】
したがって、スリット加工における異常は、これらのモーター負荷、張力、ダンサーロール位置によって検出されるものであって、これらの異常を検出することによってスリット加工の異常を発見することが可能になる。
【００２４】
これらの異常は電気信号としてエアシリンダーを駆動するための電磁弁を制御する制御装置に伝えられる。異常が検知された場合には、電磁弁によってエアシリンダーが駆動され、スリット部分の上刃は引き上げられ、下刃から離間する。
【００２５】
異常発生時には、スリット装置は停止されるが、特に高速スリット装置の場合には、いち早く上刃の離間が行なわれることにより、原反のガイドロールや上刃、下刃への巻きつきや、上刃の下刃への乗り上げ、それに伴う上刃または下刃の破損、などを回避することができる。
【００２６】
また、スリット加工の異常は、モーター負荷、張力、ダンサーロール位置によって検出することができる機構であるために、正確で精度よく検出が可能であることに加えて、紙やフィルムなどあらゆる原反に対応が可能である。
【００２７】
また本発明によるスリット刃の保護機構は、エアシリンダーによる上刃の離間機構によるために、迅速で機敏な対応が可能であり、異常発生時の製品のロスを少なくすることが可能であり、また復旧に対する作業も容易かつ安全に行なうことができ、さらに作業時間を短く抑えることが可能である。
【００２８】
また、異常発生の検出装置において、幅方向に複数の検出装置を配置することに加えて、エアシリンダーをスリット部分の各上刃に個々に対応させて備えることにより、異常が発生した際の、異常部分に対応する上刃のみを離間させることが可能となり、異常部分の部分的除去が可能であり、より材料のロスを少なくすることが可能である。
【００２９】
また、万一スリット刃が破損した場合には、スリット刃の直接の損害に加えて、破損した金属片などの製品への混入などの品質事故に繋がる恐れもあるが、本発明によるスリット刃の保護機構によれば、破損のリスクを軽減することによって、予防的に品質向上を図ることが可能である。
【実施例】
【００３０】
以下実施例を用いて、本発明についてさらに具体的な説明を加える。ただし、本発明はここに示した例にのみ限定されるものではない。
【００３１】
本発明によるスリット刃保護機構を備えたスリット装置を用いてスリット加工を行い、下記条件下においての異常発生時の状況を確認した。
フィルム速度：８００ｍ／分
検出器：耳巻取りダンサーロール位置検出装置および巻き取りモーター負荷検出装置を設けてある。
検出時間：２．５秒
裁断行数：２裁＋両耳落とし
状況：８００ｍ／分の速度でスリット加工中に片側の耳が破断した。破断した側のエアシリンダーが作動し、上刃が離間したため、上刃にも下刃にも損傷はなかった。また製品の片側は、耳がスリット加工されていないために不良となったが、もう一方の製品は異常なくスリット加工がされており良品とすることができたため、材料のロスを少なくすることができた。
【００３２】
このように本発明によれば、スリット装置においてスリット加工の異常が発生したときの、スリット刃の破損およびそれに伴う装置の破損を回避し、スリットする材料のロスも低減することのできるスリット刃保護機構、および該スリット刃保護機構を備えたスリット装置を提供することが可能であることを、検証することができた。
【符号の説明】
【００３３】
１・・・原反
２・・・上刃
３・・・下刃
４・・・製品
５・・・エアシリンダー
６・・・ガイドロール
７・・・ガイドロール
１１・・・ダンサーロール位置検出装置
１２・・・張力検出装置
１３・・・モーター負荷検出装置
１４・・・制御装置
１５・・・電磁弁
１００・・・スリット装置
【図１】
2017077616.tif 000003